(57)【特許請求の範囲】
【請求項１】
スクリュー溝を有するねじ軸と、このねじ軸に沿って移動可能でかつディスクへの情報の書込み又はディスクに記録された情報の読取りを行うためのピックアップを備えたベースと、上記ベースに取り付けられた取付部及びこの取付部から延び出たアーム部とを有する板ばねでなる支持体と、この支持体の上記アーム部に取り付けられて上記ねじ軸に噛み合う送り歯を備えたナット体とからなるピックアップ送り装置において、
上記支持体の上記アーム部が上記取付部との境界部付近を支点にして上記ねじ軸に対する遠近方向に弾性撓み変形可能に形成されていると共に、上記ナット体の上記ねじ軸のスクリュー溝に噛み合う送り歯の歯先の形状が、上記支点を中心とする円弧状に形成されていることを特徴とするピックアップ送り装置。
【請求項２】
上記ねじ軸のスクリュー溝と上記ナット体の上記送り歯との噛合い箇所が、そのねじ軸の軸線を挟んで上記支点の反対側に配備されている請求項１に記載したピックアップ送り装置。
【発明の詳細な説明】
【０００１】
【発明の属する技術分野】
本発明は、ピックアップ送り装置、詳しくは、正逆回転されるねじ軸にナット体が噛み合わされ、そのナット体に支持体を介してピックアップを備えたベースが連結されたピックアップ送り装置に関する。
【０００２】
【従来の技術】
ディスクプレーヤなどに採用されているこの種のピックアップ送り装置の従来例が、たとえば実開昭６０−１６３５５５号公報や実開平７−１９８５５号公報に記載されている。このうち、実開平７−１９８５５号公報に記載されているものは、図５のようにピックアップ（光ピックアップ）Ｐを備えたベース１に帯板状の板ばねでなる支持体２が取り付けられ、この支持体２の先端に取り付けられたハーフナットでなるナット体３の送り歯３１がねじ軸４のスクリュー溝４１に噛み合わされており、上記ベース１は、ねじ軸４と平行なガイド軸５によってその移動が案内されるようになっている。
【０００３】
このような従来のピックアップ送り装置において、上記ナット体３を形成しているハーフナットの送り歯３１の歯先の形状は、ねじ軸４の軸線を中心とする円弧状に形成されている。
【０００４】
【発明が解決しようとする課題】
図５に示した従来のピックアップ送り装置において、ねじ軸４は図示していないパルスモータによって正方向ａ又は逆方向ｂに回転駆動され、そのようなねじ軸４の回転によってナット体３が往動又は復動され、そのナット体３の往動又は復動に追従してベース１が往動又は復動される。
【０００５】
しかしながら、図５のようにナット体３がねじ軸４の片側に延び出たばね板でなる支持体によって支えられていると、ねじ軸４が正方向ａに回転するときにはナット体３にその送り歯３１をスクリュー溝４１に噛み込ませる方向の力が加わる反面で、ねじ軸４が逆方向ｂに回転するときにはナット体３にその送り歯３１をスクリュー溝４１から浮き上がらせる方向の力が加わる。そのため、ねじ軸４が正方向ａに回転するときと逆方向ｂに回転するときとでねじ軸４に加わる負荷の大きさが異なることになり好ましくない。
【０００６】
本発明は以上の状況に鑑みてなされたものであり、ナット体を支えている支持体が板ばねであるにもかかわらず、ねじ軸の回転方向に関係なくそのねじ軸に加わる負荷が一定に保たれるピックアップ送り装置を提供することを目的とする。
【０００７】
【課題を解決するための手段】
本発明に係るピックアップ送り装置は、スクリュー溝を有するねじ軸と、このねじ軸に沿って移動可能でかつディスクへの情報の書込み又はディスクに記録された情報の読取りを行うためのピックアップを備えたベースと、上記ベースに取り付けられた取付部及びこの取付部から延び出たアーム部とを有する板ばねでなる支持体と、この支持体の上記アーム部に取り付けられて上記ねじ軸に噛み合う送り歯を備えたナット体とからなるピックアップ送り装置において、上記支持体の上記アーム部が上記取付部との境界部付近を支点にして上記ねじ軸に対する遠近方向に弾性撓み変形可能に形成されていると共に、上記ナット体の上記ねじ軸のスクリュー溝に噛み合う送り歯の歯先の形状が、上記支点を中心とする円弧状に形成されている、というものである。
【０００８】
このようなピックアップ送り装置においては、上記ねじ軸のスクリュー溝と上記ナット体の上記送り歯との噛合い箇所が、そのねじ軸の軸線を挟んで上記支点の反対側に配備されていることが望ましい。
【０００９】
ピックアップ送り装置がこのように構成されていると、ねじ軸が正方向に回転したときとねじ軸が逆方向に回転したときとでは、ナット体に加わる力が反対向きになるので、そのナット体を支えている板ばねでなる支持体のアーム部の撓み方向も反対向きになる。しかしながら、ねじ軸のスクリュー溝に噛み合っているナット体の送り歯の歯先の形状が円弧状であって、その円弧の中心位置が上記支持体が撓むときの支点の位置に一致しているので、支持体の撓み方向に関係なく、ねじ軸のスクリュー溝とそれに噛み合っているナット体の送り歯との相対的な位置関係は一定に保たれる。したがって、ねじ軸の回転方向に関係なくそのねじ軸に加わる負荷が一定に保たれる。
【００１０】
【発明の実施の形態】
図１は本発明に係るピックアップ送り装置の実施形態を概略で示した説明図、図２は図１のＩＩ−ＩＩ線に沿う部分の概略断面図、図３はねじ軸４が正方向ａに回転したときの作用を示す説明図、図４はねじ軸４が逆方向ｂに回転したときの作用を示す説明図である。
【００１１】
図１において、１はベースで、仮想線で示したディスク（たとえば光ディスク）Ｄに対向されるピックアップ（たとえば光ピックアップ）Ｐを備えている。このベース１には、曲げ加工などを施して製作された帯板状の板ばねでなる支持体２の取付部２１が止具２２を用いて固着されている。支持体２は、取付部２１から延び出たアーム部２３を有しており、このアーム部２３の先端の折曲部２４にナット体３が固着されている。ねじ軸４はスクリュー溝４１を有しており、このスクリュー溝４１に上記ナット体３の送り歯３１が噛み合わされている。なお、上記ベース１は、ねじ軸４と平行なガイド軸５によってその移動が案内されるようになっている。
【００１２】
板ばねでなる上記支持体２のアーム部２３は、その取付部２１との境界部付近、すなわちアーム部２３の基部を支点２５にしてねじ軸４に対する遠近方向に弾性撓み変形可能になっている。また、ナット体３の送り歯３１の歯先３２の形状は円弧状であって、その円弧の中心位置は上記支点２５の位置に一致している。したがって、送り歯３１の歯先３２の曲率は、ねじ軸４のスクリュー溝４１の曲率に比べて小さい。
【００１３】
この実施形態では、図２のように上記アーム部２３の折曲部２４に２つのナット体３，３が、ねじ軸４のスクリュー溝４１の１ピッチ分の間隔を隔てて並べて固着されており、それぞれのナット体３，３の送り歯３１，３１が上記スクリュー溝４１に噛み合わされている。また、図１のように、ねじ軸４のスクリュー溝４１とナット体３の送り歯３１との噛合い箇所は、そのねじ軸４の軸線Ｃを挟んで上記支点２５の反対側に配備されている。
【００１４】
このように構成されたピックアップ送り装置において、駆動源であるパルスモータ（不図示）でねじ軸４が正方向ａ又は逆方向ｂに回転駆動されると、そのねじ軸４に噛み合っているナット体３が往動又は復動され、そのナット体３の往動又は復動に追従してベース１が往動又は復動される。そして、ピックアップＰによって、ディスクＤへの情報の書込みやディスクＤに記録された情報の読取りが行われる。
【００１５】
ここで、図３のようにねじ軸４が正方向ａに回転したときには、ナット体３を介して支持体２に加わる力により、その支持体２のアーム部２３が同図のように上記支点２５を中心にしてねじ軸４から遠ざかる方向に弾性撓み変形する。また、図４のようにねじ軸４が逆方向ｂに回転したときには、ナット体３を介して支持体２に加わる力により、その支持体２のアーム部２３が上記支点２５を中心にしてねじ軸４に近づく方向に弾性撓み変形する。しかしながら、ねじ軸４のスクリュー溝４１に噛み合っているナット体３の送り歯３１の歯先３２の形状が円弧状であって、その円弧の中心が上記支持体２のアーム部２３が撓むときの支点２５に一致しているので、図３及び図４を併せ見ることによって判るように、アーム部２３の撓み方向に関係なくねじ軸４のスクリュー溝４１とそれに噛み合っているナット体３の送り歯３１との相対的な位置関係が一定に保たれる。したがって、ねじ軸４の回転方向に関係なくそのねじ軸４に加わる負荷は一定に保たれる。このようにねじ軸４の回転方向に関係なくそのねじ軸４に加わる負荷が一定に保たれるようになっていると、ねじ軸４の回転によるナット体３の送りが安定し、ねじ軸４の回転に対するピックアップＰを備えたベース１の移動追従性が安定したものになる。なお、図３には上記アーム部２３の撓み変形に伴うナット体３の変位角をθ１で示し、図４には上記アーム部２３の撓み変形伴うナット体３の変位角をθ２で示してある。
【００１６】
【発明の効果】
本発明によれば、ディスクプレーヤなどに採用されているピックアップ送り装置において、ねじ軸が正方向に回転するときも逆方向に回転するときもそのねじ軸に加わる負荷が一定に保たれるので、ねじ軸の回転に、ピックアップを備えたベースの移動追従性が向上するという効果が奏される。
【図面の簡単な説明】
【図１】本発明に係るピックアップ送り装置の実施形態を概略で示した説明図である。
【図２】図１のＩＩ−ＩＩ線に沿う部分の概略断面図である。
【図３】ねじ軸が正方向に回転したときの作用を示す説明図である。
【図４】ねじ軸が逆方向に回転したときの作用を示す説明図である。
【図５】従来のピックアップ送り装置の概略説明図である。
【符号の説明】
１  ベース
２  支持体
３  ナット体
４  ねじ軸
２１  取付部
２３  アーム部
２５  支点
３１  送り歯
３２  送り歯の歯先
４１  スクリュー溝
Ｃ  ねじ軸の軸線
Ｄ  ディスク
Ｐ  ピックアップ
【図１】
0003693087.tif 000002
【図２】
0003693087.tif 000003
【図３】
0003693087.tif 000004
【図４】
0003693087.tif 000005
【図５】
0003693087.tif 000006